(57)【要約】      （修正有）【課題】入力動画像に対して画像処理を行う複数の装置が直列に接続された場合であっても、各装置による画像処理の結果を、ユーザに同時に比較させる画像処理装置および画像処理システムを提供する。【解決手段】ＢＤプレーヤ１０は、入力動画像に対して画像合成処理を行い、第１合成画像を生成する拡大処理部１５と、第１画像処理部が生成した第１合成画像を外部の装置へ出力する映像信号送信部１７とを備える。第１合成画像には、入力動画像の一部に対して第１処理が行われることによって生成された画像領域と、未処理の入力動画像の少なくとも一部とが含まれている。【選択図】図１
2016163192.tif 000002
【特許請求の範囲】
【請求項１】
入力動画像に対して画像合成処理を行い、第１合成画像を生成する第１画像処理部と、
上記第１画像処理部が生成した第１合成画像を外部の装置へ出力する出力部とを備え、
上記第１合成画像には、上記入力動画像の一部に対して第１処理が行われることによって生成された画像領域と、未処理の入力動画像の少なくとも一部とが含まれていることを特徴とする画像処理装置。
【請求項２】
上記第１処理は、上記入力動画像の解像度を高める処理であることを特徴とする請求項１に記載の画像処理装置。
【請求項３】
上記入力動画像を再生可能な再生装置であることを特徴とする請求項１または２に記載の画像処理装置。
【請求項４】
入力動画像に対して画像合成処理が行われることで生成された第１合成画像を他の装置から受信する受信部を備え、
上記第１合成画像には、上記入力動画像の一部に対して第１処理が行われることによって生成された画像領域と、未処理の入力動画像の少なくとも一部とが含まれており、
上記第１合成画像に含まれている上記未処理の入力動画像に対して第２処理を行い、第２合成画像を生成する第２画像処理部をさらに備えることを特徴とする画像処理装置。
【請求項５】
上記第２処理は、上記第１処理と処理目的が同じでかつ処理手法が異なる処理であることを特徴とする請求項４に記載の画像処理装置。
【請求項６】
上記第２合成画像を表示させる表示制御部をさらに備えることを特徴とする請求項４または５に記載の画像処理装置。
【請求項７】
上記第２画像処理部は、上記未処理の入力動画像内の、上記第１処理が行われた上記入力動画像の一部に対応する対応領域に対して、上記第２処理を行うことを特徴とする請求項４から６のいずれか１項に記載の画像処理装置。
【請求項８】
上記第２画像処理部は、上記未処理の入力動画像内の、上記第１処理が行われた上記入力動画像の一部に対応する対応領域とは異なる相違領域に対して、上記第２処理を行うことを特徴とする請求項４から６のいずれか１項に記載の画像処理装置。
【請求項９】
上記第２処理は、上記入力動画像の解像度を高める処理であることを特徴とする請求項４から８のいずれか１項に記載の画像処理装置。
【請求項１０】
上記入力動画像を表示可能な表示装置であることを特徴とする請求項４から９のいずれか１項に記載の画像処理装置。
【請求項１１】
第１画像処理装置としての請求項１から３のいずれか１項に記載の画像処理装置と、
第２画像処理装置としての請求項４から１０のいずれか１項に記載の画像処理装置と、を備えることを特徴とする画像処理システム。
【請求項１２】
上記第１画像処理装置と上記第２画像処理装置とは、カスケード接続されていることを特徴とする請求項１１に記載の画像処理システム。
【請求項１３】
入力動画像を表示可能な表示装置に設けられていることを特徴とする請求項１１または１２に記載の画像処理システム。
【請求項１４】
ｎを３以上の自然数として、かつ、ｋを２≦ｋ≦ｎを満たす自然数としたとき、
第ｋ−１画像処理装置は、第ｋ−１処理を行った第ｋ−１画像領域と、未処理の入力動画像の少なくとも一部とを含む第ｋ−１合成画像を生成する第ｋ−１画像処理を行い、
上記第ｋ−１合成画像に含まれている上記未処理の入力動画像に対して第ｋ処理を行う第ｋ画像処理装置をさらに備えることを特徴とする請求項１１から１３のいずれか１項に記載の画像処理システム。
【請求項１５】
上記第１画像処理装置から第ｎ画像処理装置までのｎ個の画像処理装置は、カスケード接続されていることを特徴とする請求項１４に記載の画像処理システム。
【発明の詳細な説明】
【技術分野】
【０００１】
本発明は、動画像を処理する画像処理装置に関する。
【背景技術】
【０００２】
従来から、画像表示装置では、表示画像のコントラスト等、画像に対する種々の調整処理が行われている。
【０００３】
特許文献１には、複数の画質調整ユニットを備えたテレビジョン受像機が開示されている。特許文献１に記載のテレビジョン受像機において、複数の画質調整ユニットは、入力された動画像に対してそれぞれ異なる画質に調整する処理を施し、複数の動画像を出力する。それぞれ異なる画質となった複数の動画像は、表示制御ユニットによって一つの画像に並べられる。表示ユニットはその画像を表示する。これにより、特許文献１に記載のテレビジョン受像機は、異なる画質調整処理が施された複数の動画像を１つの画面内に並べて表示する。
【先行技術文献】
【特許文献】
【０００４】
【特許文献１】特開２００１−１１９６４４号公報（２００１年４月２７日公開）
【発明の概要】
【発明が解決しようとする課題】
【０００５】
上記の通り、特許文献１のテレビジョン受像機は、テレビジョン受像機内の複数の画質調整ユニットが、ある動画像に対して並列して行った画質調整結果を、一つの画面内で比較して見ることが可能である。
【０００６】
ところで、テレビジョン受像機の外部にＢＤプレーヤ等の映像再生装置を接続して使用する場合がある。通常は、外部の映像再生装置にも画質調整ユニットが内蔵されている。よって、外部の映像再生装置にも画質調整ユニットとテレビジョン受像機内の画質調整ユニットは、直列に接続されることになる。
【０００７】
このような場合においても、視聴者は、テレビジョン受像機内の画質調整ユニットによる画質調整結果と外部の映像再生装置内の画質調整ユニットによる画質調整結果を、同時に比較して見たい場合がある。
【０００８】
しかしながら、特許文献１には、複数の画質調整ユニットを直列に接続した場合に、各画質調整ユニットによる画質調整結果を同時に表示するための構成については、特に開示されていない。このため、特許文献１のテレビジョン受像機では、直列に接続された複数の画質調整ユニットによる画質調整結果を、ユーザに同時に比較させることができないという問題があった。
【０００９】
本発明は、上記の問題点に鑑みてなされたものであり、その目的は、入力動画像に対して画像処理（画質調整処理）を行う複数の装置が直列に接続された場合であっても、各装置による画像処理の結果を、ユーザに同時に比較させるための処理を行うことが可能な画像処理装置を提供することを目的とする。
【課題を解決するための手段】
【００１０】
上記の課題を解決するために、本発明の一態様に係る画像処理装置は、入力動画像に対して画像合成処理を行い、第１合成画像を生成する第１画像処理部と、上記第１画像処理部が生成した第１合成画像を外部の装置へ出力する出力部とを備え、上記第１合成画像には、上記入力動画像の一部に対して第１処理が行われることによって生成された画像領域と、未処理の入力動画像の少なくとも一部とが含まれている。
【００１１】
また、上記の課題を解決するために、本発明の一態様に係る画像処理装置は、入力動画像に対して画像合成処理が行われることで生成された第１合成画像を他の装置から受信する受信部を備え、上記第１合成画像には、上記入力動画像の一部に対して第１処理が行われることによって生成された画像領域と、未処理の入力動画像の少なくとも一部とが含まれており、上記第１合成画像に含まれている上記未処理の入力動画像に対して第２処理を行い、第２合成画像を生成する第２画像処理部をさらに備える。
【発明の効果】
【００１２】
本発明の一態様に係る画像処理装置によれば、入力動画像に対して画像処理を行う複数の装置が直列に接続された場合であっても、各装置による画像処理の結果を、ユーザに同時に比較させるための処理を行うことが可能となるという効果を奏する。
【図面の簡単な説明】
【００１３】
【図１】本発明の実施形態１に係る画像処理システムの構成を示す機能ブロック図である。
【図２】本発明の実施形態１に係る画像処理システムにおける、ＢＤプレーヤの拡大処理部およびその周辺の詳細な構成を示す機能ブロック図である。
【図３】本発明の実施形態１に係る画像処理システムにおける、Ｒｅａｄバッファ／拡大部の詳細な構成を示す機能ブロック図である。
【図４】本発明の実施形態１に係る画像処理システムにおける、表示装置の拡大処理部およびその周辺の詳細な構成を示す機能ブロック図である。
【図５】（ａ）は、本発明の実施形態１に係るＢＤプレーヤの拡大処理部における入力映像および出力映像の一例を示す図であり、（ｂ）は、当該実施形態に係る表示装置の拡大処理部における入力映像および出力映像の一例を示す図である。
【図６】本発明の実施形態１に係る画像処理システムにおける映像の拡大処理および表示の処理の流れを簡単に例示する図である。
【図７】本発明の実施形態１に係る画像処理システムの表示モードを例示する図である。
【図８】本発明の実施形態２に係る画像処理システムの構成を示す機能ブロック図である。
【図９】本発明の実施形態２に係る画像処理システムの表示モードを例示する図である。
【図１０】（ａ）は、本発明の実施形態３に係るＢＤプレーヤの拡大処理部における入力映像および出力映像の一例を示す図であり、（ｂ）は、当該実施形態に係る表示装置の拡大処理部における入力映像および出力映像の一例を示す図である。
【図１１】本発明の実施形態３に係る画像処理システムの表示モードを例示する図である。
【図１２】本発明の実施形態４に係る画像処理システムにおいて、拡大処理を行うべき領域が指定された場合の拡大処理の一例を示す図である。
【図１３】本発明の実施形態４に係る画像処理システムの拡大処理部における入力映像および出力映像の一例を示す図である。
【図１４】本発明の実施形態４に係る画像処理システムの別の拡大処理部における入力映像および出力映像の一例を示す図である。
【図１５】本発明の実施形態５に係る画像処理システムの構成を示す機能ブロック図である。
【図１６】本発明の実施形態５に係る画像処理システムの拡大処理部における入力映像および出力映像の一例を示す図である。
【図１７】本発明の実施形態５に係る画像処理システムにおける、別の拡大処理部およびその周辺の詳細な構成を示す機能ブロック図である。
【図１８】本発明の実施形態５に係る画像処理システムの別の拡大処理部における入力映像および出力映像の一例を示す図である。
【図１９】本発明の実施形態５に係る画像処理システムにおける、さらに別の拡大処理部およびその周辺の詳細な構成を示す機能ブロック図である。
【図２０】本発明の実施形態５に係る画像処理システムのさらに別の拡大処理部における入力映像および出力映像の一例を示す図である。
【図２１】本発明の実施形態５に係る画像処理システムの表示モードを例示する図である。
【図２２】（ａ）は、本発明の一変形例に係る画像処理システムの概略的な構成を示す機能ブロック図であり、（ｂ）は、当該画像処理システムにおける入力映像および出力映像の一例を示す図である。
【図２３】（ａ）は、本発明の別の変形例に係る画像処理システムの概略的な構成を示す機能ブロック図であり、（ｂ）は、当該画像処理システムにおける入力映像および出力映像の一例を示す図である。
【発明を実施するための形態】
【００１４】
〔実施形態１〕
本発明の実施形態１について、図１〜図７に基づいて説明すれば、以下の通りである。
【００１５】
＜画像処理システム１００の概要＞
図１は、本実施形態の画像処理システム１００の構成を示す機能ブロック図である。画像処理システム１００は、ＢＤプレーヤ１０（再生装置，第１画像処理装置，画像処理装置）と表示装置２０（第２画像処理装置，画像処理装置）とを備えている。画像処理システム１００は、例えばＡＶ（Audio Visual）システムであると理解されてよい。
【００１６】
図１に示されるように、ＢＤプレーヤ１０と表示装置２０とは、カスケード接続（多段接続）されている。後述するように、ＢＤプレーヤ１０および表示装置２０はそれぞれ、入力動画像に対する処理を行う第１画像処理装置および第２画像処理装置として機能する。また、本実施形態の画像処理システム１００は、ＢＤプレーヤ１０および表示装置２０のそれぞれにおいて拡大処理が施された映像を同時に比較できるように構成されている。
【００１７】
＜ＢＤプレーヤ１０＞
ＢＤプレーヤ１０は、制御信号通信部１１、ＢＤドライバ１２、チューナ１３、映像選択部１４、拡大処理部１５（第１画像処理部）、ＯＳＤ（On Screen Display）生成部１６ａ、ＯＳＤ重畳部１６ｂ、映像信号送信部１７（出力部）、全体制御部１８、および制御パラメータ保持部１９を備えている。
【００１８】
ＢＤプレーヤ１０は、例えば４Ｋ−ＢＤプレーヤであってよい。ＢＤプレーヤ１０は、入力動画像（入力映像）の再生、および当該入力動画像に対する各種の処理が可能な再生装置である。以下、ＢＤプレーヤ１０の各部材について説明する。
【００１９】
制御信号通信部１１は、表示装置２０の制御信号通信部２１と通信する。より具体的には、制御信号通信部１１と制御信号通信部２１とは、ＢＤプレーヤ１０と表示装置２０との動作を協調させるための各種の制御信号を送受信する。
【００２０】
ＢＤドライバ１２は、ＢＤ（Blu-lay（登録商標） Disc）を再生して入力動画像を取得する。なお、ＢＤドライバ１２は、ＢＤ以外の記録媒体を再生して入力動画像を取得してもよい。ＢＤドライバ１２は、取得した入力動画像を映像選択部１４に与える。チューナ１３は、放送波を受信し、当該放送波に含まれる入力動画像を取得する。チューナ１３は、取得した入力動画像を映像選択部１４に与える。
【００２１】
映像選択部１４は、ユーザの指令に従って、（ｉ）ＢＤドライバ１２から与えられた入力動画像と、（ｉｉ）チューナ１３から与えられた入力動画像とのうち、一方の入力動画像を選択する。映像選択部１４は、選択した入力動画像を拡大処理部１５に与える。
【００２２】
拡大処理部１５は、映像選択部１４から与えられた入力動画像に対して所定の拡大処理（第１処理）を行い、第１出力映像を生成する。そして、拡大処理部１５は、第１出力映像をＯＳＤ重畳部１６ｂに与える。なお、拡大処理部１５の詳細な構成および動作については、後述する。
【００２３】
一例として、入力動画像に対して施される第１処理は、フレーム間処理を用いた超解像処理であってよい。但し、第１処理は、入力動画像の各フレームの静止画像に対して施されてもよい。
【００２４】
ＯＳＤ生成部１６ａは、ＯＳＤ画像を生成し、当該ＯＳＤをＯＳＤ重畳部１６ｂに与える。ＯＳＤ生成部１６ａによって生成されるＯＳＤ画像としては、電子番組表等が挙げられる。
【００２５】
ＯＳＤ重畳部１６ｂは、拡大処理部１５から取得した第１出力映像を、映像信号送信部１７に与える。なお、ＯＳＤ重畳部１６ｂは、第１出力映像にＯＳＤ画像をさらに重畳してもよい。ＯＳＤ重畳部１６ｂは、第１出力映像にＯＳＤ画像をさらに重畳した映像を映像信号送信部１７に与えてもよい。
【００２６】
映像信号送信部１７は、ＯＳＤ重畳部１６ｂから与えられた第１出力映像を、ＢＤプレーヤ１０の外部へ送信する。具体的には、映像信号送信部１７は、ＨＤＭＩ（登録商標）等の通信インターフェースを介して、制御信号通信部２１に第１出力映像を送信する。第１出力映像は、ＢＤプレーヤ１０による拡大処理の結果を示す映像であると理解することができる。
【００２７】
全体制御部１８は、ＢＤプレーヤ１０の各部材の動作を統括的に制御する。制御パラメータ保持部１９は、ＢＤプレーヤ１０の各部材の動作を制御するための制御パラメータを保持している。制御パラメータ保持部１９は、ＢＤプレーヤ１０の各部材に、各部材の動作モードに応じた制御パラメータを与える。
【００２８】
また、全体制御部１８は、拡大処理部１５の拡大処理の動作のＯＮ／ＯＦＦを切り替えることができる。これにより、表示装置２０の仕様に応じて、ＢＤプレーヤ１０から出力される第１出力映像の解像度を、Ｆｕｌｌ  ＨＤ（Full High Definition）映像または４Ｋ２Ｋ映像のいずれかに切り替えることができる。
【００２９】
なお、Ｆｕｌｌ  ＨＤ映像とは、水平画素数１９２０×垂直画素数１０８０の解像度を有する映像である。また、４Ｋ２Ｋ映像とは、水平画素数３８４０×垂直画素数２１６０の解像度を有する映像である。
【００３０】
このように、４Ｋ２Ｋ映像は、Ｆｕｌｌ  ＨＤ映像の４倍の画素数を有する画像である。このため、４Ｋ２Ｋ映像は、４つ（水平方向に２つ、垂直方向に２つ）のＦｕｌｌ  ＨＤ映像から成る映像であると理解することもできる（後述の図５を参照）。
【００３１】
＜表示装置２０＞
表示装置２０は、ＴＶメイン部２１０ａ、タイミングコントローラ２２０ａ、およびパネル２３０を備えている。表示装置２０は、後述する第２出力映像を表示する装置である。また、表示装置２０は、入力動画像としての第１出力映像に各種の処理を施す。
【００３２】
ＴＶメイン部２１０ａは、制御信号通信部２１、映像信号受信部２２（受信部）、映像選択部２４、拡大処理部２５（第２画像処理部）、ＯＳＤ生成部２６ａ、ＯＳＤ重畳部２６ｂ、映像信号送信部２７、全体制御部２８（表示制御部）、および制御パラメータ保持部２９を備えている。
【００３３】
映像信号受信部２２は、ＢＤプレーヤ１０の映像信号送信部１７から、第１出力映像を受信する。また、映像信号受信部２２は、外部からの映像信号を受信する。なお、ＴＶメイン部２１０ａのその他の各部材は、上述のＢＤプレーヤ１０の各部材と同様であるため、詳細な説明については省略する。
【００３４】
拡大処理部２５は、映像選択部２４から与えられた映像信号に対して所定の拡大処理（第２処理）を行い、第２出力映像を生成する。そして、拡大処理部２５は、第２出力映像をＯＳＤ重畳部２６ｂに与える。ＯＳＤ重畳部２６ｂは、拡大処理部２５から取得した第１出力映像を、映像信号送信部２７に与える。
【００３５】
なお、拡大処理部２５における拡大処理は、拡大処理部１５における拡大処理と処理手法が異なる。その理由は以下の通りである。
【００３６】
拡大処理において、解像度を高めるための処理としては、例えば、「処理１：フィルタ処理（マスク処理）」、「処理２：パターンマッチング処理」、および「処理３：フィルタ処理とパターンマッチング処理との併用」といった処理を採用することができる。
【００３７】
例えば、処理１を採用する場合には、フィルタサイズを増加させることにより、より高精度な処理が可能となる。また、フィルタ係数を調整することにより、画質を調整することができる。
【００３８】
但し、フィルタサイズは、各拡大処理部を実装するためのＩＣのロジック規模により異なる。また、フィルタ係数は、各拡大処理部が設けられた装置ごとに、選択可能な値が異なる。一般的に、選択可能なフィルタ係数の値は、各装置の開発者によって適宜設定されているためである。
【００３９】
従って、拡大処理部１５および拡大処理部２５はそれぞれ、異なるフィルタサイズおよびフィルタ係数を有することとなる。このため、拡大処理部１５と拡大処理部２５とは、ともに同じ処理目的を有しているものの、その処理手法が異なる。従って、拡大処理部１５および拡大処理部２５のそれぞれにおいて拡大処理が施された映像は、異なる画質を有することとなる。
【００４０】
映像信号送信部２７は、ＯＳＤ重畳部２６ｂから与えられた第２出力映像を、ＴＶメイン部２１０ａの外部へ送信する。具体的には、映像信号送信部２７は、タイミングコントローラ２２０ａに第２出力映像を送信する。第２出力映像は、ＴＶメイン部２１０ａ（または表示装置２０）による拡大処理の結果を示す映像であると理解されてよい。
【００４１】
なお、全体制御部２８は、入力映像がＦｕｌｌ  ＨＤ映像である場合には、拡大処理部２５の拡大処理をＯＮとしてよい。また、全体制御部２８は、入力映像が４Ｋ２Ｋ映像である場合には、拡大処理部２５の拡大処理をＯＦＦとしてよい。また、全体制御部２８は、パネル２３０の動作を制御する表示制御部として機能してもよい。
【００４２】
タイミングコントローラ２２０ａは、映像信号送信部２７から取得した第２出力映像を、パネル２３０に与える。なお、タイミングコントローラ２２０ａは、Ｔ−ＣＯＮと称されてもよい。タイミングコントローラ２２０ａは、例えばＬＳＩによって実装されてよい。
【００４３】
タイミングコントローラ２２０ａは、パネル２３０の動作を制御する制御チップとして機能してよい。また、後述の実施形態２に示されるように、タイミングコントローラ２２０ａに様々な機能を付加することも可能である。パネル２３０は、例えば液晶ディスプレイであり、第２出力映像を表示する。
【００４４】
＜拡大処理部１５および２５の概要＞
以下、拡大処理部１５および２５の詳細な構成、および拡大処理の詳細な動作について説明する。
【００４５】
拡大処理部１５および２５は、Ｆｕｌｌ  ＨＤ映像を４Ｋ２Ｋ映像に拡大する拡大処理を行う。当該拡大処理は、アップコンバート、アップスケーリング、または超解像処理等とも称される。拡大処理には、様々なアルゴリズム（補間方式、パターンマッチング方式、およびそれらの組み合わせ等）が適用されてよい。
【００４６】
但し、本発明の一態様に係る拡大処理は、Ｆｕｌｌ  ＨＤ映像を４Ｋ２Ｋ映像に拡大する処理のみに限定されない。画像処理システム１００における拡大処理の対象となる映像の解像度は、その他のものであってもよい。
【００４７】
ところで、拡大処理時に良好な画質を得るための制御パラメータは、ユーザの主観に基づいて選択されることが多い。これらの制御パラメータは、エッジ検出またはノイズ除去等に用いられる映像調整パラメータにも依存するためである。
【００４８】
本実施形態の画像処理システム１００は、拡大処理部１５および２５のそれぞれにおいて拡大処理が施された映像を同時に比較可能となるように構成されている。これにより、ユーザの主観に合致する画質への調節を容易化することが可能となる。
【００４９】
＜拡大処理部１５の構成＞
図２は、ＢＤプレーヤ１０の拡大処理部１５およびその周辺の詳細な構成を示す機能ブロック図である。また、図３は、以下に述べるＲｅａｄバッファ／拡大部１５４ａの詳細な構成を示す機能ブロック図である。以下、拡大処理部１５の構成について、図２および図３を参照して説明する。
【００５０】
拡大処理部１５は、Ｗｒｉｔｅバッファ１５１と、同期信号発生部１５２と、Ｒｅａｄアービトレータ１５３と、４つのＲｅａｄバッファ／拡大部１５４ａ〜１５４ｄとを備えている。また、拡大処理部１５は、外部のフレームメモリ１４０と接続されている。
【００５１】
映像選択部１４から拡大処理部１５に入力された入力映像は、はじめにＷｒｉｔｅバッファ１５１に格納される。そして、Ｗｒｉｔｅバッファ１５１は、当該入力映像を、フレームメモリ１４０に格納する。フレームメモリ１４０は、動画像を格納することが可能な公知のＤＤＲ（Double Data Rate）タイプのメモリデバイスであってよい。
【００５２】
同期信号発生部１５２は、Ｒｅａｄアービトレータ１５３およびＲｅａｄバッファ／拡大部１５４ａ〜１５４ｄの動作のタイミングを制御する同期信号を生成する。同期信号発生部１５２は、自身で同期信号を生成してもよいし、入力映像の入力タイミングに基づいて同期信号を生成してもよい。
【００５３】
Ｒｅａｄアービトレータ１５３は、フレームメモリ１４０から入力映像を読み出す。Ｒｅａｄアービトレータ１５３は、読み出した入力映像を調停し、Ｒｅａｄバッファ／拡大部１５４ａ〜１５４ｄに与える。Ｒｅａｄバッファ／拡大部１５４ａ〜１５４ｄはそれぞれ、入力映像の一部を拡大する。
【００５４】
より具体的には、Ｒｅａｄバッファ／拡大部１５４ａは、入力映像の一部（入力映像の左上の部分）を拡大し、出力映像１を生成する。以下、図３を参照し、Ｒｅａｄバッファ／拡大部１５４ａの詳細な構成について述べる。
【００５５】
図３に示されるように、Ｒｅａｄバッファ／拡大部１５４ａは、Ｒｅａｄバッファ１５５ａおよび拡大部１５６ａを備える。Ｒｅａｄバッファ１５５ａは、制御パラメータ保持部１９から与えられた制御パラメータ（読み出し座標等）に従って、Ｒｅａｄアービトレータ１５３からの映像信号をバッファリングする。
【００５６】
そして、拡大部１５６ａは、Ｒｅａｄバッファ１５５ａから取得した映像信号を拡大し、出力する。拡大部１５６ａでは、例えば、フィルタ処理やパターンマッチング処理が行われる。これらの処理は、制御パラメータに従って処理される。
【００５７】
また、拡大部１５６ａは、拡大処理のＯＮ／ＯＦＦを切り替えることができる。例えば、入力映像に対して拡大処理を行わない時は、拡大部１５６ａの拡大処理をＯＦＦにすればよい。
【００５８】
Ｒｅａｄバッファ／拡大部１５４ｂは、入力映像の一部（入力映像の左下の部分）を拡大し、出力映像２を生成する。Ｒｅａｄバッファ／拡大部１５４ｃは、入力映像の一部（入力映像の右上の部分）を拡大し、出力映像３を生成する。Ｒｅａｄバッファ／拡大部１５４ｄは、入力映像の一部（入力映像の右下の部分）を拡大し、出力映像４を生成する。
【００５９】
なお、Ｒｅａｄバッファ／拡大部１５４ｂ、１５４ｃ、および１５４ｄのそれぞれの詳細な構成は、上述の図３と同様である。
【００６０】
なお、出力映像１〜４の解像度は、入力映像の解像度と同一である。本実施形態では、Ｒｅａｄバッファ／拡大部１５４ａ〜１５４ｄは、解像度を４倍にする拡大処理を行っている。
【００６１】
以上のように、Ｒｅａｄバッファ／拡大部１５４ａ〜１５４ｄは、入力映像を４分割（水平方向に２分割、垂直方向に２分割）した部分領域を、拡大処理の対象とする。すなわち、Ｒｅａｄバッファ／拡大部１５４ａ〜１５４ｄは、水平画素数９６０×垂直画素数５４０の解像度を有する部分領域のそれぞれに対して拡大処理を施し、Ｆｕｌｌ  ＨＤ映像としての出力映像１〜４を生成する。
【００６２】
但し、Ｒｅａｄバッファ／拡大部１５４ａ〜１５４ｄのうち、拡大処理がＯＦＦとして設定されているものが存在していてもよい。この場合、Ｒｅａｄバッファ／拡大部１５４ａ〜１５４ｄのうち、拡大処理がＯＦＦとして設定されているものは、拡大処理を行わずに、入力映像をそのまま出力映像として出力する。
【００６３】
＜拡大処理部１５の処理の一例＞
図５の（ａ）は、拡大処理部１５における入力映像、出力映像１〜４、および第１出力映像の一例を示す図である。なお、図５の（ａ）における入力映像を入力映像Ｇ０（入力動画像）、第１出力映像を第１出力映像Ｇ１（第１合成画像）とそれぞれ呼称する。
【００６４】
なお、入力映像Ｇ０および出力映像１〜４は、Ｆｕｌｌ  ＨＤ映像である。他方、第１出力映像Ｇ１は、４Ｋ２Ｋ映像である。後述するように、第１出力映像Ｇ１は、４つの出力映像１〜４が合成されることによって生成される。
【００６５】
図５の（ａ）では、（ｉ）Ｒｅａｄバッファ／拡大部１５４ａおよび１５４ｂの拡大処理がＯＮであり、（ｉｉ）Ｒｅａｄバッファ／拡大部１５４ｃの拡大処理がＯＦＦである場合が例示されている。
【００６６】
図５の（ａ）に示されるように、出力映像１および２は、入力映像Ｇ０の一部が拡大された映像（入力映像Ｇ０に対して拡大処理が施された映像）である。より具体的には、出力映像１は、入力映像Ｇ０の左上の部分が拡大された映像である。また、出力映像２は、入力映像Ｇ０の左下の部分が拡大された映像である。他方、出力映像３は、入力映像Ｇ０と同一の映像（入力映像Ｇ０に対して拡大処理が施されなかった映像）である。
【００６７】
なお、Ｒｅａｄバッファ／拡大部１５４ｄにおける拡大処理のＯＮ／ＯＦＦは任意であってよい。換言すれば、出力映像４は、任意の映像であってよい。後述の図７に示されるように、出力映像４は、パネル２３０に最終的に表示される第２出力映像Ｇ２（第２合成画像）には含まれないためである。
【００６８】
そして、出力映像１〜４に対して合成処理（画像合成処理）が施されることによって、第１出力映像Ｇ１が生成される。なお、当該合成処理は、拡大処理部１５内において行われてもよいし、拡大処理部１５の指令を受けて外部の部材において行われてもよい。
【００６９】
図５の（ａ）に示されるように、第１出力映像Ｇ１には、入力映像Ｇ０の一部に拡大処理が施された映像（出力映像１および２）と、未処理の入力映像Ｇ０（出力映像３）とが含まれている。
【００７０】
＜拡大処理部２５の構成＞
図４は、表示装置２０の拡大処理部２５およびその周辺の詳細な構成を示す機能ブロック図である。上述したように、拡大処理部２５は、拡大処理部１５とほぼ同様の構成である。このため、図４もまた、上述の図２とほぼ同様の図である。
【００７１】
拡大処理部２５は、Ｗｒｉｔｅバッファ２５１と、同期信号発生部２５２と、Ｒｅａｄアービトレータ２５３と、４つのＲｅａｄバッファ／拡大部２５４ａ〜２５４ｄとを備えている。また、拡大処理部２５は、外部のフレームメモリ２４０と接続されている。
【００７２】
Ｒｅａｄバッファ／拡大部２５４ａ〜２５４ｄはそれぞれ、Ｒｅａｄバッファ／拡大部１５４ａ〜１５４ｄと同様の拡大処理を行い、出力映像５〜８を生成する。そして、出力映像５〜８が重畳された映像は、ＴＶメイン部２１０ａの出力映像（第２出力映像）として、映像信号送信部２７から出力される。
【００７３】
拡大処理部２５には、上述の拡大処理部１５において生成された出力映像である第１出力映像が入力動画像として入力される。従って、Ｒｅａｄバッファ／拡大部２５４ａ〜２５４ｄは、第１出力映像に対する拡大処理を行う。
【００７４】
＜拡大処理部２５の処理の一例＞
図５の（ｂ）は、拡大処理部２５における入力映像、出力映像５〜８、および第２出力映像の一例を示す図である。上述したように、図５の（ｂ）の入力映像としては、図５の（ａ）の第１出力映像Ｇ１が与えられる。また、図５の（ｂ）における第２出力映像を、第２出力映像Ｇ２と呼称する。
【００７５】
なお、第１出力映像Ｇ１および第２出力映像Ｇ２は、４Ｋ２Ｋ映像である。他方、出力映像５〜８は、Ｆｕｌｌ  ＨＤ映像である。後述するように、第２出力映像Ｇ２は、４つの出力映像５〜８が合成されることによって生成される。
【００７６】
図５の（ｂ）では、（ｉ）Ｒｅａｄバッファ／拡大部２５４ａおよび２５４ｂの拡大処理がＯＦＦであり、（ｉｉ）Ｒｅａｄバッファ／拡大部２５４ｃおよび２５４ｄの拡大処理がＯＮである場合が例示されている。
【００７７】
図５の（ｂ）に示されるように、出力映像５は、図５の（ａ）の出力映像１と同一の映像である。また、出力映像６は、図５の（ａ）の出力映像２と同一の映像である。出力映像５および６はそれぞれ、第１出力映像Ｇ１の一部と同一の映像である。
【００７８】
他方、出力映像７および８はそれぞれ、第１出力映像Ｇ１の一部が拡大された映像である。出力映像７および８はそれぞれ、図５の（ａ）の入力映像Ｇ０の一部が拡大された映像と理解されてもよい。具体的には、出力映像７は、入力映像Ｇ０の右上の部分が拡大された映像である。また、出力映像８は、入力映像Ｇ０の右下の部分が拡大された映像である。
【００７９】
そして、出力映像５〜８に対して合成処理が施されることによって、第２出力映像Ｇ２が生成される。そして、上述したように、出力映像５および６は、出力映像１および２と同一の映像である。
【００８０】
それゆえ、第２出力映像Ｇ２には、拡大処理部１５において拡大処理が施された映像（出力映像１および２）と、拡大処理部２５において拡大処理が施された映像（出力映像７および８）とが含まれていることが理解される。
【００８１】
以上のように、拡大処理部２５は、未処理の入力映像Ｇ０内の拡大処理部１５が拡大処理を行った未処理の入力映像Ｇ０の一部に対応する対応領域とは異なる相違領域に対して、拡大処理を行っている。
【００８２】
図５の（ｂ）に示されるように、第２出力映像Ｇ２の左半分は、拡大処理部１５において拡大処理が施された映像である。また、第２出力映像Ｇ２の右半分は、拡大処理部２５において拡大処理が施された映像である。
【００８３】
換言すれば、第２出力映像Ｇ２には、（ｉ）入力映像Ｇ０の一部に対して、拡大処理部１５における拡大処理が行われることにより生成された画像領域（第１領域）と、（ｉｉ）第１出力映像に含まれる未処理の入力映像Ｇ０に対して、拡大処理部２５における拡大処理が行われることにより生成された画像領域（第２領域）とが含まれている。
【００８４】
従って、ユーザは、パネル２３０に表示された第２出力映像Ｇ２を視認することにより、ＢＤプレーヤ１０の拡大処理部１５において拡大された映像の画質（第１領域の画質）と、表示装置２０の拡大処理部２５において拡大された映像の画質（第２領域の画質）とを、同時に比較することが可能となる。
【００８５】
＜映像の拡大処理部および表示の処理の流れ＞
図６は、画像処理システム１００における映像の拡大および表示の処理の流れを簡単に例示するフローチャートである。以下、図６の処理Ｓ１〜Ｓ４について説明する。
【００８６】
拡大処理部１５は、入力映像に対して拡大処理を行う（処理Ｓ１）。続いて、拡大処理部１５は、拡大処理を行った映像と未処理の入力映像とが合成された、第１出力映像を生成する（処理Ｓ２，第１画像処理工程）。
【００８７】
続いて、拡大処理部２５は、第１出力映像に含まれる未処理の入力映像に対して拡大処理を行い、第２出力映像を生成する（処理Ｓ３，第２画像処理工程）。そして、パネル２３０は、第２出力映像を表示する（処理Ｓ４）。
【００８８】
＜表示モードの例＞
表示装置２０において、ユーザに各拡大映像の画質を同時に比較させるための表示モードが設けられてよい。当該表示モードは、ユーザによるＴＶのボタンまたはリモコンボタンの押下により切り替えられるように設定されてよい。
【００８９】
例えば、全体制御部２８は、表示モードを切り替えるボタンがユーザに押下されたことを検知し、制御パラメータ保持部２９の制御パラメータの値を変更してもよい。主な制御パラメータの一例としては、以下の（１）〜（４）
（１）画面の位置（左右表示と上下表示との切り替え）
（２）入力映像の位置（ｘ座標、ｙ座標）
（３）出力映像の位置（ｘ座標、ｙ座標）
（４）拡大率
を挙げることができる。
【００９０】
また、ＢＤプレーヤ１０での表示モードを切り替えるために、ＴＶメイン部２１０ａの全体制御部２８は、ＢＤプレーヤ１０の全体制御部１８に、表示モード用の制御信号を送信する。当該制御信号は、制御信号通信部２１から送信され、制御信号通信部１１を経て、全体制御部１８に与えられる。例えば、ＨＤＭＩ（登録商標）伝送の場合、ＣＥＣにより制御コマンドを送信する。
【００９１】
従って、拡大処理部１５および２５は、ユーザの操作によって設定された上述の各制御パラメータに従って、動画像に対する拡大処理を施すことができる。
【００９２】
図７は、表示モードの一例を示す図である。図７に示されているように、本実施形態では、「表示モード番号：１〜３」の３つの表示モードが設けられている。以下、各表示モードについて説明する。
【００９３】
「表示モード番号：１」は、ＢＤプレーヤ１０の拡大処理部１５における拡大処理をＯＦＦとし、表示装置２０の拡大処理部２５における拡大処理をＯＮとした場合の表示モードである。当該表示モードでは、拡大処理部２５において拡大された映像のみを、ユーザに対して提供することができる。
【００９４】
「表示モード番号：２」は、拡大処理部１５における拡大処理をＯＮとし、拡大処理をＯＦＦとした場合の表示モードである。当該表示モードでは、拡大処理部１５において拡大された映像のみを、ユーザに対して提供することができる。
【００９５】
そして、「表示モード番号：３」は、拡大処理部１５および２５の両方における拡大処理をＯＮとした場合の表示モードである。当該表示モードでは、（ｉ）拡大処理部１５において拡大された映像の画質と、（ｉｉ）拡大処理部２５において拡大された映像の画質とを、同時に比較するための映像（第２出力映像Ｇ２）を、ユーザに対して提供することができる。
【００９６】
＜効果＞
以上のように、実施形態の画像処理システム１００は、入力動画像に対して拡大処理を行う複数の装置（ＢＤプレーヤ１０および表示装置２０）が直列に接続された場合であっても、各装置による拡大処理（第１処理および第２処理）の結果を、ユーザに同時に比較させるための処理を行う。
【００９７】
従って、画像処理システム１００によれば、複数の装置のそれぞれによる入力動画像に対する拡大処理の結果を、ユーザに同時に比較させることが可能となる。それゆえ、ユーザは、いずれの拡大処理の結果がより好ましいかを容易に判断することができる。
【００９８】
なお、画像処理システム１００において、ＢＤプレーヤ１０と表示装置２０とはカスケード接続（直列接続）されているため、拡大処理を行う複数の装置（ＢＤプレーヤ１０および表示装置２０）間の接続を簡単化することができる。
【００９９】
〔実施形態２〕
本発明の他の実施形態について、図８および図９に基づいて説明すれば、以下の通りである。なお、説明の便宜上、前記実施形態にて説明した部材と同じ機能を有する部材については、同じ符号を付記し、その説明を省略する。
【０１００】
＜画像処理システム２００の概要＞
図８は、本実施形態の画像処理システム２００の構成を示す機能ブロック図である。画像処理システム２００は、ＴＶメイン部２１０ｂ（第１画像処理装置，画像処理装置）、タイミングコントローラ２２０ｂ（第２画像処理装置，画像処理装置）、およびパネル２３０を備えている。本実施形態の画像処理システム２００は、上述の表示装置２０によって実現されていると理解されてよい。
【０１０１】
換言すれば、実施形態の画像処理システム２００は、上述の拡大処理を行うために、表示装置単体に設けられたシステムであるであると理解されてよい。このため、本実施形態のタイミングコントローラ２２０ｂには、実施形態１のタイミングコントローラ２２０ａに比べて、様々な機能が付加されている。
【０１０２】
後述するように、本実施形態の画像処理システム２００は、ＴＶメイン部２１０ｂおよびタイミングコントローラ２２０ｂのそれぞれにおいて拡大処理が施された映像を同時に比較可能となるように構成されている。
【０１０３】
＜ＴＶメイン部２１０ｂ＞
本実施形態のＴＶメイン部２１０ｂは、実施形態１のＴＶメイン部２１０ａに、放送波を受信するためのチューナ１３を付加した構成である。また、図８に示されるように、ＴＶメイン部２１０ｂとタイミングコントローラ２２０ｂとは、カスケード接続されている。
【０１０４】
ＴＶメイン部２１０ｂにおいて、拡大処理部２５（第１画像処理部）は、映像選択部２４から与えられた映像信号に対して所定の拡大処理（第１処理）を行い、第１出力映像を生成する。
【０１０５】
すなわち、本実施形態の拡大処理部２５は、上述の実施形態１の拡大処理部１５と同様の処理を行う。拡大処理部２５において生成された第１出力映像は、映像信号送信部２７（出力部）からタイミングコントローラ２２０ｂの映像信号受信部２２２（受信部）に送信される。
【０１０６】
＜タイミングコントローラ２２０ｂ＞
タイミングコントローラ２２０ｂは、ＴＶメイン部２１０ｂからの映像信号および同期信号に基づいて、パネル２３０に応じた信号を生成する機能を有している。
【０１０７】
通常、タイミングコントローラには、ガンマ調整、ＱＳ（quick shoot）駆動、ムラ補正、Ω補正、およびディザ処理等の画像処理を行う機能が設けられている。これらの画像処理は、パネル２３０に起因する画質の劣化に対処するための処理である。
【０１０８】
ところで、従来では、ＴＶメイン部における各種の画像処理（ホワイトバランス調整、ノイズ除去、および拡大処理等）の機能は、タイミングコントローラにおける画像処理の機能とは区分されていた。これは、ＴＶメイン部とパネル部とを流用する設計を容易化するためである。
【０１０９】
しかしながら、近年では、タイミングコントローラの特長化を図るために、ＴＶメイン部における画像処理の機能を、タイミングコントローラに付加する場合がある。以下に示す通り、本実施形態のタイミングコントローラ２２０ｂは、ＴＶメイン部における画像処理の機能が付加されたものである。また、タイミングコントローラ２２０ｂには、ＴＶメイン部２１０ｂとほぼ同様の機能が付加されている。
【０１１０】
タイミングコントローラ２２０ｂは、制御信号通信部２２１、映像信号受信部２２２、メイン処理部２２４、拡大処理部２２５（第２画像処理部）、サブ処理部２２６、映像信号送信部２２７、全体制御部２２８、および制御パラメータ保持部２２９を備えている。
【０１１１】
なお、メイン処理部２２４、拡大処理部２２５、およびサブ処理部２２６以外の各部材はそれぞれ、上述のＴＶメイン部２１０ｂの各部材と同様の部材であるため、詳細な説明は省略する。
【０１１２】
メイン処理部２２４は、ホワイトバランス調整、ノイズ除去、および拡大処理等の画像処理を行う。すなわち、メイン処理部２２４は、ＴＶメイン部における画像処理の機能をタイミングコントローラ２２０ｂに付加するために設けられた部材である。
【０１１３】
なお、メイン処理部２２４には、制御信号通信部２２１を介して、第１出力映像が与えられる。このため、メイン処理部２２４は、第１出力映像に対して、上述の画像処理を行うことができる。
【０１１４】
サブ処理部２２６は、タイミングコントローラには、ガンマ調整、ＱＳ駆動、ムラ補正、Ω補正、およびディザ処理等の画像処理を行う。すなわち、サブ処理部２２６は、従来のタイミングコントローラに設けられている画像処理の機能を有する。
【０１１５】
なお、サブ処理部２２６には、拡大処理部２５において生成された第２出力映像が与えられる。このため、サブ処理部２２６は、第２出力映像に対して、上述の画像処理を行うことができる。
【０１１６】
また、タイミングコントローラ２２０ｂにおいて、拡大処理部２２５は、映像選択部２４から与えられた映像信号に対して所定の拡大処理（第２処理）を行い、第２出力映像を生成する。そして、第２出力映像は、映像信号送信部２２７からパネル２３０に送信される。
【０１１７】
本実施形態の拡大処理部２２５は、上述の実施形態１の拡大処理部２５と同様の処理を行う。なお、拡大処理部２２５における拡大処理は、本実施形態の拡大処理部２５における拡大処理と処理目的は同じであるが、その処理手法が異なる。
【０１１８】
以上のように、本実施形態の画像処理システム２００は、拡大処理部２５および２２５のそれぞれにおいて拡大処理が施された映像を同時に比較可能となるように構成されている。これにより、ユーザの主観に合致する画質への調節を容易化することが可能となる。
【０１１９】
＜本実施形態における表示モードの例＞
本実施形態の画像処理システム２００においても、ユーザに各拡大映像の画質を同時に比較させるための表示モードが設けられてよい。本実施形態において、表示モードを変更するための制御信号は、Ｉ２Ｃ等の通信手段を用いて、全体制御部２２８から全体制御部２８に与えられてよい。
【０１２０】
図９は、本実施形態における表示モードの一例を示す図である。図９に示されているように、本実施形態では、上述の図７と同様に、「表示モード番号：１〜３」の３つの表示モードが設けられている。
【０１２１】
「表示モード番号：１」は、ＴＶメイン部２１０ｂの拡大処理部２５における拡大処理をＯＦＦとし、タイミングコントローラ２２０ｂの拡大処理部２２５における拡大処理をＯＮとした場合の表示モードである。また、「表示モード番号：２」は、拡大処理部２５における拡大処理をＯＮとし、拡大処理部２２５における拡大処理をＯＦＦとした場合の表示モードである。
【０１２２】
そして、「表示モード番号：３」は、拡大処理部２５および２２５の両方における拡大処理をＯＮ状態とした場合の表示モードである。当該表示モードでは、（ｉ）拡大処理部２５において拡大された映像の画質と、（ｉｉ）拡大処理部２２５において拡大された映像の画質とを、同時に比較するための映像（第２出力映像Ｇ２）を、ユーザに対して提供することができる。
【０１２３】
〔実施形態３〕
本発明の他の実施形態について、図１０および図１１に基づいて説明すれば、以下の通りである。なお、説明の便宜上、前記実施形態にて説明した部材と同じ機能を有する部材については、同じ符号を付記し、その説明を省略する。
【０１２４】
＜本実施形態の画像処理システムの概要＞
本実施形態の画像処理システムの構成は、上述の実施形態１または２の画像処理システムと同様であるため、機能ブロック図の図示を省略する。以下、上述の実施形態１の画像処理システム１００の構成を例示し、本実施形態の画像処理システムについて説明する。
【０１２５】
上述の図７に示されるように、実施形態１では、第２出力映像Ｇ２の左半分と、第２出力映像Ｇ２の右半分とを同時に表示させることによって、拡大処理部１５および２５のそれぞれの拡大処理の結果の画質を比較することが可能であった。すなわち、実施形態１では、左右方向での画質の同時比較が可能であった。
【０１２６】
本実施形態では、上下方向での画質の同時比較をもさらに可能とするために、拡大処理部１５および２５の別の動作モードが提供されている。以下、当該動作モードでの処理の一例について説明する。なお、当該動作モードへの切り替えは、画面の位置を設定する制御パラメータの変更によって行われてよい。
【０１２７】
＜本実施形態の拡大処理部１５の処理の一例＞
図１０の（ａ）は、本実施形態の拡大処理部１５における入力映像Ｇ０、出力映像１〜４、および第１出力映像の一例を示す図である。なお、図１０の（ａ）における第１出力映像を、第１出力映像Ｇ３（第１合成画像）と呼称する。
【０１２８】
図１０の（ａ）では、（ｉ）Ｒｅａｄバッファ／拡大部１５４ａおよび１５４ｃの拡大処理がＯＮであり、（ｉｉ）Ｒｅａｄバッファ／拡大部１５４ｂの拡大処理がＯＦＦである場合が例示されている。
【０１２９】
図１０の（ａ）に示されるように、出力映像１および３は、入力映像Ｇ０の一部が拡大された映像である。より具体的には、出力映像１は、入力映像Ｇ０の左上の部分が拡大された映像である。また、出力映像３は、入力映像Ｇ０の右上の部分が拡大された映像である。他方、出力映像２は、入力映像Ｇ０と同一の映像である。また、出力映像４は、任意の映像であってよい。
【０１３０】
そして、出力映像１〜４に対して合成処理が施されることによって、第１出力映像Ｇ３が生成される。図１０の（ａ）に示されるように、第１出力映像Ｇ３には、入力映像Ｇ０の一部に拡大処理が施された映像（出力映像１および３）と、未処理の入力映像Ｇ０（出力映像２）とが含まれている。
【０１３１】
＜本実施形態の拡大処理部２５の処理の一例＞
図１０の（ｂ）は、本実施形態の拡大処理部２５における入力映像、出力映像５〜８、および第２出力映像の一例を示す図である。図１０の（ｂ）の入力映像としては、図１０の（ａ）の第１出力映像Ｇ３が与えられる。また、図１０の（ｂ）における第２出力映像を、第２出力映像Ｇ４（第２合成画像）と呼称する。
【０１３２】
図１０の（ｂ）では、（ｉ）Ｒｅａｄバッファ／拡大部２５４ｂおよび２５４ｄの拡大処理がＯＮであり、（ｉｉ）Ｒｅａｄバッファ／拡大部２５４ａおよび２５４ｃの拡大処理がＯＦＦである場合が例示されている。
【０１３３】
図１０の（ｂ）に示されるように、出力映像５および７はそれぞれ、第１出力映像Ｇ３の一部と同一の映像である。より具体的には、出力映像５は、図１０の（ａ）の出力映像１と同一の映像である。また、出力映像７は、図１０の（ａ）の出力映像３と同一の映像である。
【０１３４】
他方、出力映像６および８はそれぞれ、第１出力映像Ｇ３の一部が拡大された映像である。より具体的には、出力映像６および８はそれぞれ、図１０の（ａ）の入力映像Ｇ０の一部が拡大された映像である。出力映像６は、入力映像Ｇ０の左下の部分が拡大された映像である。また、出力映像８は、入力映像Ｇ０の右下の部分が拡大された映像である。
【０１３５】
そして、出力映像５〜８に対して合成処理が施されることによって、第２出力映像Ｇ４が生成される。図１０の（ｂ）を参照すれば、第２出力映像Ｇ４には、拡大処理部１５において拡大処理が施された映像（出力映像１および３）と、拡大処理部２５において拡大処理が施された映像（出力映像６および８）とが含まれていることが理解される。
【０１３６】
図１０の（ｂ）に示されるように、第２出力映像Ｇ４の上半分は、拡大処理部１５において拡大処理が施された映像である。また、第２出力映像Ｇ４の下半分は、拡大処理部２５において拡大処理が施された映像である。
【０１３７】
従って、ユーザは、パネル２３０に表示された第２出力映像Ｇ４を視認することにより、ＢＤプレーヤ１０の拡大処理部１５において拡大された映像（第２出力映像Ｇ４の上半分）の画質と、表示装置２０の拡大処理部２５において拡大された映像（第２出力映像Ｇ４の下半分）の画質とを、同時に比較することが可能となる。すなわち、上下方向での画質の同時比較が可能となる。
【０１３８】
＜本実施形態における表示モードの例＞
図１１は、本実施形態における表示モードの一例を示す図である。図１１に示されているように、本実施形態では、「表示モード番号：１〜４」の４つの表示モードが設けられている。
【０１３９】
なお、図１１の表示モード１〜３は、図７の表示モード１〜３と同様である。すなわち、本実施形態は、実施形態１において、左右方向での画質の比較のための表示モード３に加えて、上下画面での画質の比較のための表示モード４が付加された構成であると理解されてよい。
【０１４０】
上述したように、「表示モード番号：３」では、図５の（ｂ）の第２出力映像Ｇ２が表示される。さらに、「表示モード番号：４」では、図１０の（ｂ）の第２出力映像Ｇ４が表示される。
【０１４１】
このように、本実施形態の画像処理システムによれば、拡大処理部１５および２５のそれぞれにおいて、より多様のパターンでの拡大処理を行うことが可能となる。従って、ユーザは、拡大処理部１５および２５のそれぞれにおける拡大処理の結果を、より多様な表示パターンによって同時に比較することが可能となる。
【０１４２】
〔実施形態４〕
本発明の他の実施形態について、図１２〜図１４に基づいて説明すれば、以下の通りである。なお、説明の便宜上、前記実施形態にて説明した部材と同じ機能を有する部材については、同じ符号を付記し、その説明を省略する。
【０１４３】
＜本実施形態の画像処理システムの概要＞
本実施形態の画像処理システムの構成は、上述の実施形態１または２の画像処理システムと同様であるため、機能ブロック図の図示を省略する。以下、上述の実施形態１の画像処理システム１００の構成を例示し、本実施形態の画像処理システムについて説明する。
【０１４４】
上述の実施形態１〜３では、左右方向または上下方向での画質の同時比較を行うための第２出力映像が提供されていた。これらの第２出力映像では、拡大処理部１５および２５において拡大処理が施された入力映像の位置は、それぞれ異なっていた。
【０１４５】
しかしながら、入力映像の内容次第では、入力映像の同じ位置（例えば、入力映像の中央付近の位置）に対する拡大処理部１５および２５のそれぞれの拡大処理の結果を、同時に比較したいというユーザの要望が生じ得る。
【０１４６】
そこで、本実施形態では、拡大処理を行うべき映像の領域を指定することにより、入力映像の同じ位置に対して、拡大処理部１５および２５のそれぞれにおける拡大処理を施すための動作モードが提供されている。
【０１４７】
以下、当該動作モードでの処理の一例について説明する。なお、当該動作モードへの切り替えは、入力映像および出力映像の位置を設定する制御パラメータの変更によって行われてよい。
【０１４８】
＜拡大処理を行うべき領域が指定された場合の拡大処理の一例＞
図１２は、拡大処理を行うべき領域が指定された場合の拡大処理の一例を示す図である。図１２では、入力映像Ｇ０に含まれる領域Ａ０が、拡大処理を行うべき領域として指定されている場合が例示されている。
【０１４９】
図１２の拡大処理は、Ｒｅａｄバッファ／拡大部１５４ａにおいて行われる。Ｒｅａｄバッファ／拡大部１５４ａは、領域Ａ０に拡大処理を施し出力映像１を生成する。ここで、領域Ａ０の解像度は、水平画素数９６０×垂直画素数５４０である。また、出力映像１は、Ｆｕｌｌ  ＨＤ映像である。従って、Ｒｅａｄバッファ／拡大部１５４ａでは、上述の各実施形態と同様に、解像度を４倍にする拡大処理が行われる。
【０１５０】
領域Ａ０を設定するための位置情報（すなわち、出力映像１を生成するための座標の情報）は、制御パラメータ保持部１９に格納されている。具体的には、制御パラメータ保持部１９には、「入力映像の座標：（ｘ，ｙ）＝（４８０，０）」、「出力映像の座標：（ｘ，ｙ）＝（０，０）」という座標が格納されている。
【０１５１】
Ｒｅａｄバッファ／拡大部１５４ａは、制御パラメータ保持部１９から上述の位置情報を取得し拡大処理を行う。具体的には、Ｒｅａｄバッファ／拡大部１５４ａは、入力映像Ｇ０の座標（４８０，０）を、出力映像１の始点の座標（０，０）に対応付ける。
【０１５２】
より具体的には、Ｒｅａｄバッファ／拡大部１５４ａは、入力映像Ｇ０の座標（４８０，０）を、拡大処理の始点として設定する。そして、Ｒｅａｄバッファ／拡大部１５４ａは、領域Ａ０の解像度に応じた拡大処理の終点を設定する。図１２の場合には、入力映像Ｇ０の座標（４８０＋９６０，０＋５４０）＝（１４４０，５４０）が、拡大処理の終点として設定される。
【０１５３】
以上のように、拡大処理の結果として生成された出力映像１において、始点の座標（０，０）は入力映像Ｇ０の座標（４８０，０）に対応する、また、終点の座標（１９２０，１０８０）は入力映像Ｇ０の座標（１４４０，５４０）に対応する。このように、本実施形態では、入力映像および出力映像の座標をあらかじめ設定し、拡大処理を行うべき位置を指定することが可能となる。
【０１５４】
＜本実施形態の拡大処理部１５の処理の一例＞
図１３は、本実施形態の拡大処理部１５における入力映像Ｇ０、出力映像１〜４、および第１出力映像の一例を示す図である。なお、図１３における第１出力映像を、第１出力映像Ｇ５（第１合成画像）と呼称する。
【０１５５】
図１３では、（ｉ）Ｒｅａｄバッファ／拡大部１５４ａおよび１５４ｂの拡大処理および位置調整がＯＮであり、（ｉｉ）Ｒｅａｄバッファ／拡大部１５４ｃの拡大処理がＯＦＦである場合が例示されている。
【０１５６】
出力映像１および２を生成するための座標の情報は、制御パラメータ保持部１９に格納されている。具体的には、図１３に示される通り、出力映像１および２の座標が設定されている。
【０１５７】
図１３に示されるように、出力映像１および２は、入力映像Ｇ０の一部が拡大された映像である。より具体的には、出力映像１は、入力映像Ｇ０の中央付近の上部が拡大された映像である。また、出力映像２は、入力映像Ｇ０の中央付近の上部が拡大された映像である。他方、出力映像３は、入力映像Ｇ０と同一の映像である。出力映像４は、任意の映像であってよい。
【０１５８】
そして、出力映像１〜４に対して合成処理が施されることによって、第１出力映像Ｇ５が生成される。図１３に示されるように、第１出力映像Ｇ５には、入力映像Ｇ０の一部に拡大処理が施された映像（出力映像１および２）と、未処理の入力映像Ｇ０（出力映像３）とが含まれている。
【０１５９】
＜本実施形態の拡大処理部２５の処理の一例＞
図１４は、本実施形態の拡大処理部２５における入力映像、出力映像５〜８、および第２出力映像の一例を示す図である。図１４の入力映像としては、図１３の第１出力映像Ｇ５が与えられる。また、図１４における第２出力映像を、第２出力映像Ｇ６（第２合成画像）と呼称する。
【０１６０】
図１４では、（ｉ）Ｒｅａｄバッファ／拡大部２５４ｃおよび２５４ｄの拡大処理および位置調整がＯＮであり、（ｉｉ）Ｒｅａｄバッファ／拡大部２５４ａおよび２５４ｂの拡大処理がＯＦＦである場合が例示されている。
【０１６１】
図１４に示されるように、出力映像５および６はそれぞれ、第１出力映像Ｇ５の一部と同一の映像である。より具体的には、出力映像５は、図１３の出力映像１と同一の映像である。また、出力映像６は、図１３の出力映像２と同一の映像である。
【０１６２】
他方、出力映像７および８はそれぞれ、第１出力映像Ｇ５の一部が拡大された映像である。より具体的には、出力映像７および８はそれぞれ、図１３の入力映像Ｇ０の一部が拡大された映像である。出力映像６は、入力映像Ｇ０の中央付近の上部が拡大された映像である。また、出力映像８は、入力映像Ｇ０の中央付近の上部が拡大された映像である。
【０１６３】
そして、出力映像５〜８に対して合成処理が施されることによって、第２出力映像Ｇ６が生成される。図１４を参照すれば、第２出力映像Ｇ６には、拡大処理部１５において拡大処理が施された映像（出力映像１および２）と、拡大処理部２５において拡大処理が施された映像（出力映像６および７）とが含まれていることが理解される。
【０１６４】
以上のように、本実施形態の拡大処理部２５は、未処理の入力映像Ｇ０内の拡大処理部１５が拡大処理を行った入力映像Ｇ０の一部に対応する対応領域に対して、拡大処理を行う。
【０１６５】
図１４に示されるように、第２出力映像Ｇ６の左半分は、拡大処理部１５において拡大処理が施された映像である。また、第２出力映像Ｇ６の右半分は、拡大処理部２５において拡大処理が施された映像である。これらの映像はそれぞれ、入力映像Ｇ０の同じ位置（入力映像Ｇ０の中央付近の位置）が拡大された映像である。
【０１６６】
従って、ユーザは、パネル２３０に表示された第２出力映像Ｇ６を視認することにより、入力映像の同じ位置に対する拡大処理部１５および２５のそれぞれの拡大処理の結果を、同時に比較することが可能となる。
【０１６７】
〔実施形態５〕
本発明の他の実施形態について、図１５〜図２１に基づいて説明すれば、以下の通りである。なお、説明の便宜上、前記実施形態にて説明した部材と同じ機能を有する部材については、同じ符号を付記し、その説明を省略する。
【０１６８】
＜画像処理システム５００の概要＞
図１５は、本実施形態の画像処理システム５００の構成を示す機能ブロック図である。画像処理システム５００は、第１映像処理部５０Ａ、第２映像処理部５０Ｂ、第３映像処理部５０Ｃ、タイミングコントローラ２２０ａ、およびパネル２３０を備えている。
【０１６９】
上述の各実施形態では、２つの拡大処理部が設けられた構成が例示されていた。しかしながら、本発明の一態様に係る画像処理システムにおいて、拡大処理部は３つ以上設けられていてもよい。本実施形態では、３つの処理部が設けられた画像処理システム５００の構成および処理について説明する。
【０１７０】
第１映像処理部５０Ａは、映像信号受信部５２Ａ、拡大処理部５５Ａ、映像信号送信部５７Ａ、全体制御部５８Ａ、および制御パラメータ保持部５９Ａを備えている。また、第２映像処理部５０Ｂは、映像信号受信部５２Ｂ、拡大処理部５５Ｂ、映像信号送信部５７Ｂ、全体制御部５８Ｂ、および制御パラメータ保持部５９Ｂを備えている。また、第３映像処理部５０Ｃは、映像信号受信部５２Ｃ、拡大処理部５５Ｃ、映像信号送信部５７Ｃ、全体制御部５８Ｃ、および制御パラメータ保持部５９Ｃを備えている。
【０１７１】
なお、画像処理システム５００において、拡大処理部５５Ａ〜５５Ｃを除いた各部材は、上述の実施形態における各部材と同様の機能を有するため、説明を省略する。また、図１５に示されるように、第１映像処理部５０Ａと第２映像処理部５０Ｂと第３映像処理部５０Ｃとは、カスケード接続されている。
【０１７２】
＜拡大処理部５５Ａの処理の一例＞
第１映像処理部５０Ａの拡大処理部５５Ａは、上述の図２の拡大処理部１５と同様の構成を有している。このため、機能ブロック図の図示を省略する。拡大処理部５５Ａは、入力映像に拡大処理を施し、第１出力映像を生成する。
【０１７３】
図１６は、拡大処理部５５Ａにおける入力映像Ｇ０、出力映像１〜４、および第１出力映像の一例を示す図である。なお、図１６における第１出力映像を、第１出力映像Ｇ７（第１合成画像）と呼称する。
【０１７４】
なお、入力映像Ｇ０および出力映像１〜４は、Ｆｕｌｌ  ＨＤ映像である。他方、第１出力映像Ｇ７は、４Ｋ２Ｋ映像である。
【０１７５】
図１６では、（ｉ）Ｒｅａｄバッファ／拡大部１５４ａおよび１５４ｂの拡大処理および位置調整がＯＮであり、（ｉｉ）Ｒｅａｄバッファ／拡大部１５４ｃの拡大処理がＯＦＦである場合が例示されている。また、図１６には、出力映像１および２の座標の設定が示されている。
【０１７６】
図１６に示されるように、出力映像１および２は、入力映像Ｇ０の一部が拡大された映像である。他方、出力映像３は、入力映像Ｇ０と同一の映像である。出力映像４は、任意の映像であってよい。そして、出力映像１〜４に対して合成処理が施されることによって、第１出力映像Ｇ７が生成される。
【０１７７】
図１３に示されるように、第１出力映像Ｇ７には、入力映像Ｇ０の一部に拡大処理が施された映像（出力映像１および２）と、未処理の入力映像Ｇ０（出力映像３）とが含まれている。
【０１７８】
＜拡大処理部５５Ｂの構成＞
図１７は、第２映像処理部５０Ｂの拡大処理部５５Ｂおよびその周辺の詳細な構成を示す機能ブロック図である。
【０１７９】
拡大処理部５５Ｂは、Ｗｒｉｔｅバッファ１５１Ｂと、同期信号発生部１５２Ｂと、Ｒｅａｄアービトレータ１５３Ｂと、７つのＲｅａｄバッファ／拡大部１５４Ｂａ〜１５４Ｂｇとを備えている。また、拡大処理部５５Ｂは、外部のフレームメモリ１４０Ｂと接続されている。拡大処理部５５Ｂは、Ｒｅａｄバッファ／拡大部の個数においてのみ、他のＲｅａｄバッファ／拡大部と異なっている。
【０１８０】
後述の図１８に示されるように、Ｒｅａｄバッファ／拡大部１５４Ｂａの出力（１）と、Ｒｅａｄバッファ／拡大部１５４Ｂｂの出力（２）とは、重ね合わせられる。なお、Ｒｅａｄバッファ／拡大部１５４Ｂａの拡大処理はＯＦＦであり、Ｒｅａｄバッファ／拡大部１５４Ｂｂの拡大処理はＯＮである。当該重ね合わせ処理の結果として、出力映像５が生成される。
【０１８１】
また、Ｒｅａｄバッファ／拡大部１５４Ｂｃの出力（３）と、Ｒｅａｄバッファ／拡大部１５４Ｂｄの出力（４）とは、重ね合わせられる。なお、Ｒｅａｄバッファ／拡大部１５４Ｂｃの拡大処理はＯＦＦであり、Ｒｅａｄバッファ／拡大部１５４Ｂｄの拡大処理はＯＮである。当該重ね合わせ処理の結果として、出力映像６が生成される。
【０１８２】
また、Ｒｅａｄバッファ／拡大部１５４Ｂｅの出力（５）と、Ｒｅａｄバッファ／拡大部１５４Ｂｆの出力（６）とは、重ね合わせられる。なお、Ｒｅａｄバッファ／拡大部１５４Ｂｅの拡大処理はＯＮであり、Ｒｅａｄバッファ／拡大部１５４Ｂｆの拡大処理はＯＦＦである。当該重ね合わせ処理の結果として、出力映像７が生成される。
【０１８３】
また、Ｒｅａｄバッファ／拡大部１５４Ｂｆの出力は、出力映像８となる。なお、Ｒｅａｄバッファ／拡大部１５４Ｂｆの拡大処理はＯＮである。
【０１８４】
＜拡大処理部５５Ｂの処理の一例＞
図１８は、拡大処理部５５Ｂにおける入力映像、出力映像５〜８、および第１出力映像の一例を示す図である。図１８の入力映像としては、図１６の第１出力映像Ｇ７が与えられる。また、図１８における第２出力映像を、第２出力映像Ｇ８（第２合成画像）と呼称する。また、図１８に示される通り、出力映像５〜７の座標が設定されている。
【０１８５】
なお、第１出力映像Ｇ７および第２出力映像Ｇ８は、４Ｋ２Ｋ映像である。他方、出力映像５〜８は、Ｆｕｌｌ  ＨＤ映像である。
【０１８６】
図１８に示されるように、出力映像５は、出力（１）と出力（２）とが重ね合わせられた映像である。また、出力映像６は、出力（３）と出力（４）とが重ね合わせられた映像である。また、出力映像７は、出力（５）と出力（６）とが重ね合わせられた映像である。他方、出力映像８は、Ｒｅａｄバッファ／拡大部１５４Ｂｆの出力である。
【０１８７】
そして、出力映像５〜８に対して合成処理が施されることによって、第２出力映像Ｇ８が生成される。図１８に示されるように、第２出力映像Ｇ８には、入力映像Ｇ０の一部に拡大処理が施された映像（出力映像５、６、および８）と、未処理の入力映像Ｇ０の一部（出力映像７）とが含まれている。
【０１８８】
より具体的には、第２出力映像Ｇ８の最左側の映像は、拡大処理部５５Ａにおいて拡大処理が施された映像である。また、第２出力映像Ｇ８の中央付近の映像は、拡大処理部５５Ｂにおいて拡大処理が施された映像である。これらの映像はそれぞれ、入力映像Ｇ０の同じ位置（入力映像Ｇ０の中央付近の位置）が拡大された映像である。他方、第２出力映像Ｇ８の最右側の映像には、未処理の入力映像Ｇ０の一部が含まれている。
【０１８９】
＜拡大処理部５５Ｃの構成＞
図１９は、第３映像処理部５０Ｃの拡大処理部５５Ｃおよびその周辺の詳細な構成を示す機能ブロック図である。
【０１９０】
拡大処理部５５Ｃは、Ｗｒｉｔｅバッファ１５１Ｃと、同期信号発生部１５２Ｃと、Ｒｅａｄアービトレータ１５３Ｃと、６つのＲｅａｄバッファ／拡大部１５４Ｃａ〜１５４Ｃｆとを備えている。また、拡大処理部５５Ｃは、外部のフレームメモリ１４０Ｃと接続されている。拡大処理部５５Ｃは、Ｒｅａｄバッファ／拡大部の個数においてのみ、他のＲｅａｄバッファ／拡大部と異なっている。
【０１９１】
Ｒｅａｄバッファ／拡大部１５４Ｃａの出力は、出力映像９となる。なお、Ｒｅａｄバッファ／拡大部１５４Ｃａの拡大処理はＯＦＦである。また、Ｒｅａｄバッファ／拡大部１５４Ｃｂの出力は、出力映像１０となる。なお、Ｒｅａｄバッファ／拡大部１５４Ｃｂの拡大処理はＯＦＦである。
【０１９２】
他方、後述の図２０に示されるように、Ｒｅａｄバッファ／拡大部１５４Ｃｃの出力（７）と、Ｒｅａｄバッファ／拡大部１５４Ｃｄの出力（８）とは、重ね合わせられる。なお、Ｒｅａｄバッファ／拡大部１５４Ｃｃの拡大処理はＯＦＦであり、Ｒｅａｄバッファ／拡大部１５４Ｃｄの拡大処理はＯＮである。当該重ね合わせ処理の結果として、出力映像１１が生成される。
【０１９３】
また、Ｒｅａｄバッファ／拡大部１５４Ｃｅの出力（９）と、Ｒｅａｄバッファ／拡大部１５４Ｃｆの出力（１０）とは、重ね合わせられる。なお、Ｒｅａｄバッファ／拡大部１５４Ｃｅの拡大処理はＯＦＦであり、Ｒｅａｄバッファ／拡大部１５４Ｃｆの拡大処理はＯＮである。当該重ね合わせ処理の結果として、出力映像１２が生成される。
【０１９４】
＜拡大処理部５５Ｃの処理の一例＞
図２０は、拡大処理部５５Ｃにおける入力映像、出力映像９〜１２、および第３出力映像の一例を示す図である。図２０の入力映像としては、図１８の第２出力映像Ｇ８が与えられる。また、図２０における第３出力映像を、第３出力映像Ｇ９（第３合成画像）と呼称する。また、図２０に示される通り、出力映像１１および１２の座標が設定されている。
【０１９５】
図２０に示されるように、出力映像１１は、出力（７）と出力（８）とが重ね合わせられた映像である。また、出力映像１２は、出力（９）と出力（１０）とが重ね合わせられた映像である。
【０１９６】
他方、出力映像９は、Ｒｅａｄバッファ／拡大部１５４Ｃａの出力である。また、出力映像１０は、Ｒｅａｄバッファ／拡大部１５４Ｃｂの出力である。そして、出力映像９〜１２に対して合成処理が施されることによって、第３出力映像Ｇ９が生成される。
【０１９７】
図２０に示されるように、第３出力映像Ｇ９の最左側の映像は、拡大処理部５５Ａにおいて拡大処理が施された映像である。また、第３出力映像Ｇ９の中央付近の映像は、拡大処理部５５Ｂにおいて拡大処理が施された映像である。また、第３出力映像Ｇ９の最右側の映像は、拡大処理部５５Ｃにおいて拡大処理が施された映像である。これらの映像はそれぞれ、入力映像Ｇ０の同じ位置（入力映像Ｇ０の中央付近の位置）が拡大された映像である。
【０１９８】
従って、ユーザは、パネル２３０に表示された第３出力映像Ｇ９を視認することにより、入力映像の同じ位置に対する拡大処理部５５Ａ、５５Ｂ、および５５Ｃのそれぞれの拡大処理の結果を、同時に比較することが可能となる。
【０１９９】
＜本実施形態における表示モードの例＞
図２１は、本実施形態における表示モードの一例を示す図である。図２１に示されているように、本実施形態では、「表示モード番号：１〜７」の７つの表示モードが設けられている。
【０２００】
「表示モード番号：１〜６」は、拡大処理部５５Ａ〜５５Ｃのうちの少なくとも１つの拡大処理をＯＮにし、その他の拡大処理をＯＦＦにした場合の表示モードである。「表示モード番号：１〜６」では、拡大処理をＯＮにした拡大処理部による処理の結果が表示される。
【０２０１】
そして、「表示モード番号：７」は、拡大処理部５５Ａ〜５５Ｃの全ての拡大処理をＯＮにした場合の表示モードである。当該表示モードでは、図２０の第３出力映像Ｇ９が表示される。
【０２０２】
このように、画像処理システム５００によれば、ユーザは３つの拡大処理部５５Ａ〜５５Ｃのそれぞれにおける拡大処理の結果を、より多様な表示パターンによって同時に比較することが可能となる。
【０２０３】
〔変形例〕
（１）上述の各実施形態では、画像処理システムにおいて拡大処理を行うための構成が例示されていた。しかしながら、本発明の一態様に係る画像処理システムにおいて、拡大処理以外の画質調整処理（ノイズ除去、コントラスト強調、肌色補正等の処理）が行われてもよい。
【０２０４】
図２２の（ａ）は、本発明の一変形例に係る画像処理システム６００の概略的な構成を示す機能ブロック図である。画像処理システム６００は、第１映像処理部６０Ａ（第１画像処理装置）および第２映像処理部６０Ｂ（第２画像処理装置）を備えている。
【０２０５】
図２２の（ｂ）は、画像処理システム６００における入力映像Ｇ０、第１出力映像Ｇ６１、および第２出力映像Ｇ６２の一例を示す図である。第１映像処理部６０Ａは、入力映像Ｇ０に第１処理（拡大処理以外の処理。例えばノイズ除去）を行い、第１出力映像Ｇ６１（第１合成画像）を生成する。第１出力映像Ｇ６１には、未処理の入力映像Ｇ０の少なくとも一部が含まれている。
【０２０６】
第２映像処理部６０Ｂは、第１出力映像Ｇ６１に含まれる未処理の入力映像Ｇ０に第２処理（ノイズ除去）を行い、第２出力映像Ｇ６２（第２合成画像）を生成する。
【０２０７】
第２出力映像Ｇ６２には、第１映像処理部６０Ａにおいて入力映像Ｇ０に対して第１処理が施された映像と、第２映像処理部６０Ｂにおいて入力映像Ｇ０に対して第２処理が施された映像とが含まれている。
【０２０８】
なお、第１処理および第２処理は、拡大処理以外の処理であるため、入力映像Ｇ０と第１出力映像Ｇ６１と第２出力映像Ｇ６２とは、同じ解像度を有している。
【０２０９】
また、第２映像処理部６０Ｂにおける第２処理は、第１映像処理部６０Ａにおける第１処理と同じ処理目的を有しているものの、その処理手法が異なる。上述したように、ＩＣのロジック規模、フィルタサイズ、およびフィルタ係数等は、各映像処理部において異なるためである。
【０２１０】
（２）上述の図２２では、２つの映像処理部が設けられている構成が例示されていた。しかしながら、上述の実施形態５と同様に、３つの映像処理部が設けられてもよい。
【０２１１】
図２３の（ａ）は、本発明の別の変形例に係る画像処理システム７００の概略的な構成を示す機能ブロック図である。画像処理システム７００は、第１映像処理部７０Ａ（第１画像処理装置）、第２映像処理部７０Ｂ（第２画像処理装置）、および第３映像処理部７０Ｃ（第３画像処理装置）を備えている。
【０２１２】
図２３の（ｂ）は、画像処理システム７００における入力映像Ｇ０、第１出力映像Ｇ７１、第２出力映像Ｇ７２、第３出力映像Ｇ７３の一例を示す図である。第１映像処理部７０Ａは、入力映像Ｇ０に第１処理（拡大処理以外の処理。例えばコントラスト強調）を行い、第１出力映像Ｇ７１（第１合成画像）を生成する。第１出力映像Ｇ７１には、未処理の入力映像Ｇ０の少なくとも一部が含まれている。
【０２１３】
第２映像処理部７０Ｂは、第１出力映像Ｇ７１に含まれる未処理の入力映像Ｇ０に第２処理（コントラスト強調）を行い、第２出力映像Ｇ７２（第２合成画像）を生成する。第２出力映像Ｇ７２には、未処理の入力映像Ｇ０の少なくとも一部が含まれている。
【０２１４】
第３映像処理部７０Ｃは、第２出力映像Ｇ７２に含まれる未処理の入力映像Ｇ０に第３処理（コントラスト強調）を行い、第３出力映像Ｇ７３（第３合成画像）を生成する。
【０２１５】
第３出力映像Ｇ７３には、第１映像処理部７０Ａにおいて入力映像Ｇ０に対して第１処理が施された映像と、第２映像処理部７０Ｂにおいて入力映像Ｇ０に対して第２処理が施された映像と、第３映像処理部７０Ｃにおいて入力映像Ｇ０に対して第３処理が施された映像とが含まれている。
【０２１６】
（３）また、本発明の一態様に係る画像処理システムでは、３つ以上の映像処理部（画像処理装置）が設けられてもよい。
【０２１７】
すなわち、本発明の一態様に係る画像処理システムは、ｎを３以上の自然数として、かつ、ｋを２≦ｋ≦ｎを満たす自然数としたとき、第ｋ−１画像処理装置は、第ｋ−１処理を行った第ｋ−１画像領域と、未処理の入力動画像の少なくとも一部とを含む第ｋ−１合成画像を生成する第ｋ−１画像処理を行い、上記第ｋ−１合成画像に含まれている上記未処理の入力動画像に対して第ｋ処理を行う第ｋ画像処理装置をさらに備えるように構成されていればよい。
【０２１８】
上述の図２３の（ａ）の画像処理システム７００の構成は、ｎ＝３とした場合の構成を例示したものと理解されてよい。なお、上記第１画像処理部から第ｎ画像処理部までのｎ個の画像処理部は、カスケード接続されている。また、画像処理部の数ｎの増加に応じて、表示モードの表示パターン数が適宜増加されてよい。
【０２１９】
（４）また、上述の各実施形態では、複数の映像処理部において同じ処理目的を有する映像処理を行っていた。しかしながら、複数の映像処理部において異なる処理目的を有する映像処理を行ってもかまわない。
【０２２０】
〔ソフトウェアによる実現例〕
画像処理システム１００、２００、および５００の制御ブロック（特に拡大処理部１５、２５、２２５、および５５Ａ〜５５Ｃ）は、集積回路（ＩＣチップ）等に形成された論理回路（ハードウェア）によって実現してもよいし、ＣＰＵ（Central Processing Unit）を用いてソフトウェアによって実現してもよい。
【０２２１】
後者の場合、画像処理システム１００、２００、および５００は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０２２２】
〔まとめ〕
本発明の態様１に係る第１画像処理装置（ＢＤプレーヤ１０）は、入力動画像（入力映像Ｇ０）に対して画像合成処理を行い、第１合成画像（第１出力映像Ｇ１）を生成する第１画像処理部（拡大処理部１５）と、上記第１画像処理部が生成した第１合成画像を外部の装置へ出力する出力部（映像信号送信部２７）とを備え、上記第１合成画像には、上記入力動画像の一部に対して第１処理が行われることによって生成された画像領域と、未処理の入力動画像の少なくとも一部とが含まれている。
【０２２３】
上記の構成によれば、第１画像処理部が、入力動画像の各フレームに対して、当該入力動画像の一部に対して第１処理を行い、当該第１処理が行われることによって生成された画像領域と、未処理の入力動画像の少なくとも一部とを含む第１合成画像を生成する。そして、第１画像処理の出力部から、外部の装置（後述する第２画像処理装置）に対して、第１合成画像を与えることができる。
【０２２４】
これにより、第１合成画像を受信する第２画像処理装置に設けられた第２画像処理部に、第１合成画像に含まれている未処理の入力動画像に対して第２処理を行わせ、第２合成画像を生成させることができる。すなわち、入力動画像のそれぞれについて、第１処理が行われた後、第２処理を行うことが可能となる。
【０２２５】
それゆえ、入力動画像に対して画像処理を行う複数の装置（第１画像処理装置および第２画像処理装置）が直列に接続された場合であっても、各装置による画像処理の結果を、ユーザに同時に比較させるための処理を行うことが可能となるという効果を奏する。
【０２２６】
本発明の態様２に係る第１画像処理装置は、態様１において、上記第１処理は、上記入力動画像の解像度を高める処理であることが好ましい。
【０２２７】
上記構成によれば、入力動画像に対して拡大処理を行うことができるという効果を奏する。
【０２２８】
本発明の態様３に係る第１画像処理装置は、態様１または２において、上記入力動画像を再生可能な再生装置であってもよい。
【０２２９】
上記構成によれば、再生装置（例えば、ＢＤプレーヤ）によって、第１画像処理装置を実現できるという効果を奏する。
【０２３０】
本発明の態様４に係る第２画像処理装置（表示装置２０）は、入力動画像に対して画像合成処理が行われることで生成された第１合成画像を他の装置から受信する受信部（映像信号受信部２２）を備え、上記第１合成画像には、上記入力動画像の一部に対して第１処理が行われることによって生成された画像領域と、未処理の入力動画像の少なくとも一部とが含まれており、上記第１合成画像に含まれている上記未処理の入力動画像に対して第２処理を行い、第２合成画像（第２出力映像Ｇ２）を生成する第２画像処理部（拡大処理部２５）をさらに備える。
【０２３１】
上記構成によれば、第２画像処理装置の受信部から、他の装置（上述の第１画像処理装置）において生成された第１合成画像を取得することができる。続いて、第２画像処理部は、第１合成画像に含まれている未処理の入力動画像に対して第２処理を行い、第２合成画像を生成することができる。
【０２３２】
従って、上述した通り、入力動画像に対して画像処理を行う複数の装置が直列に接続された場合であっても、各装置による画像処理の結果を、ユーザに同時に比較させるための処理を行うことが可能となるという効果を奏する。
【０２３３】
本発明の態様５に係る第２画像処理装置は、態様４において、上記第２処理は、上記第１処理と処理目的が同じでかつ処理手法が異なる処理であることが好ましい。
【０２３４】
上記構成によれば、処理目的が同じでかつ処理手法が異なる画像処理の結果を、ユーザに同時に比較させるための処理を行うことが可能となるという効果を奏する。
【０２３５】
本発明の態様６に係る第２画像処理装置は、態様４または５において、上記第２合成画像を表示させる表示制御部（全体制御部２８）をさらに備えることが好ましい。
【０２３６】
上記構成によれば、第２合成画像には、（ｉ）入力動画像の一部に対して第１処理が行われることにより生成された画像領域（第１領域）と、（ｉｉ）第１合成画像に含まれる未処理の入力動画像に対して第２処理が行われることにより生成された画像領域（第２領域）とが含まれる。
【０２３７】
従って、第２合成画像を表示させることにより、第１領域および第２領域の各画像を同時に表示することができるので、ユーザに第１処理および第２処理の処理結果を同時に比較させることができるという効果を奏する。
【０２３８】
本発明の態様７に係る第２画像処理装置は、態様４から６のいずれか１つにおいて、上記第２画像処理部は、上記未処理の入力動画像内の、上記第１処理が行われた上記入力動画像の一部に対応する対応領域に対して、上記第２処理を行ってもよい。
【０２３９】
上記構成によれば、未処理の入力動画像内の上記対応領域に対して、第２処理を行う。従って、入力動画像の同一の領域に対して第１処理および第２処理を行うことが可能となるという効果を奏する。
【０２４０】
本発明の態様８に係る第２画像処理装置は、態様４から６のいずれか１つにおいて、上記第２画像処理部は、上記未処理の入力動画像内の、上記第１処理が行われた上記入力動画像の一部に対応する対応領域とは異なる相違領域に対して、上記第２処理を行ってもよい。
【０２４１】
上記構成によれば、未処理の入力動画像内の上記相違領域に対して、第２処理を行う。従って、入力動画像内の互いに異なる２つの領域のそれぞれに対して第１処理および第２処理を行うことが可能となるという効果を奏する。
【０２４２】
本発明の態様９に係る第２画像処理装置は、態様４から８のいずれか１つにおいて、上記第２処理は、上記入力動画像の解像度を高める処理であることが好ましい。
【０２４３】
上記構成によれば、入力動画像に対して拡大処理を行うことができるという効果を奏する。
【０２４４】
本発明の態様１０に係る第２画像処理装置は、態様４から９のいずれか１つにおいて、上記入力動画像を表示可能な表示装置であってもよい。
【０２４５】
上記構成によれば、表示装置（例えば、ＴＶ）によって、第２画像処理装置を実現できるという効果を奏する。
【０２４６】
本発明の態様１１に係る画像処理システム（１００）は、態様１から３のいずれか１つに係る第１画像処理装置と、態様４から１０のいずれか１つに係る第２画像処理装置と、を備えることが好ましい。
【０２４７】
上記構成によれば、再生装置および表示装置を備えたシステム（例えば、ＡＶシステム）によって、画像処理システムを実現できるという効果を奏する。
【０２４８】
本発明の態様１２に係る画像処理システムは、態様１１において、上記第１画像処理装置と上記第２画像処理装置とは、カスケード接続されていることが好ましい。
【０２４９】
上記構成によれば、各装置間の接続を簡単化することができるという効果を奏する。
【０２５０】
本発明の態様１３に係る画像処理システムは、態様１１または１２において、入力動画像を表示可能な表示装置に設けられていてもよい。
【０２５１】
上記構成によれば、表示装置単体によっても、画像処理システムを実現できるという効果を奏する。
【０２５２】
本発明の態様１４に係る画像処理システムは、態様１１から１３のいずれか１つにおいて、ｎを３以上の自然数として、かつ、ｋを２≦ｋ≦ｎを満たす自然数としたとき、第ｋ−１画像処理装置は、第ｋ−１処理を行った第ｋ−１画像領域と、未処理の入力動画像の少なくとも一部とを含む第ｋ−１合成画像を生成する第ｋ−１画像処理を行い、上記第ｋ−１合成画像に含まれている上記未処理の入力動画像に対して第ｋ処理を行う第ｋ画像処理装置をさらに備えることが好ましい。
【０２５３】
上記構成によれば、３つ以上の画像処理部を設けることができる。従って、より多様のパターンでの動画像処理を行うことが可能となるという効果を奏する。
【０２５４】
本発明の態様１５に係る画像処理システムは、態様１４において、上記第１画像処理装置から第ｎ画像処理装置までのｎ個の画像処理装置は、カスケード接続されていることが好ましい。
【０２５５】
上記構成によれば、各装置間の接続を簡単化することができるという効果を奏する。
【０２５６】
本発明の態様１６に係る画像処理システムの制御方法は、入力動画像の各フレームに対して画像合成処理を行い、第１合成画像を生成する第１画像処理工程を含み、上記第１合成画像には、上記入力動画像の一部に対して第１処理が行われることによって生成された画像領域と、未処理の入力動画像の少なくとも一部とが含まれており、上記第１合成画像に含まれている上記未処理の入力動画像に対して第２処理を行い、第２合成画像を生成する第２画像処理工程をさらに含む。
【０２５７】
上記構成によれば、本発明の一態様に係る画像処理システムと同様の効果を奏する。
【０２５８】
本発明の各態様に係る第１画像処理装置および第２画像処理装置はそれぞれ、コンピュータによって実現してもよい。この場合には、コンピュータを上記第１画像処理装置および上記第２画像処理装置が備える各部（ソフトウェア要素）として動作させることにより上記第１画像処理装置および上記第２画像処理装置をコンピュータにて実現させる上記第１画像処理装置および上記第２画像処理装置の画像処理プログラム、およびそれを記録したコンピュータ読み取り可能な記録媒体も、本発明の範疇に入る。
【０２５９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０２６０】
本発明は、動画像を処理する画像処理システムに利用することができる。
【符号の説明】
【０２６１】
１０  ＢＤプレーヤ（再生装置，第１画像処理装置，画像処理装置）
１５，５５Ａ  拡大処理部（第１画像処理部）
１７，２７  映像信号送信部（出力部）
２２，２２２  制御信号通信部（受信部）
２０  表示装置（第２画像処理装置，画像処理装置）
２１０ｂ  ＴＶメイン部（第１画像処理装置，画像処理装置）
２２０ｂ  タイミングコントローラ（第２画像処理装置，画像処理装置）
２５  拡大処理部（第２画像処理部，第１画像処理部）
２８  全体制御部（表示制御部）
６０Ａ，７０Ａ  第１映像処理部（第１画像処理装置）
６０Ｂ，７０Ｂ  第２映像処理部（第２画像処理装置）
７０Ｃ  第３映像処理部（第３画像処理装置）
５５Ｂ，２２５  拡大処理部（第２画像処理部）
５５Ｃ  拡大処理部（第３画像処理部）
１００，２００，５００，６００，７００  画像処理システム
Ｇ０  入力映像（入力動画像）
Ｇ１，Ｇ３，Ｇ５，Ｇ７，Ｇ６１，Ｇ７１  第１出力映像（第１合成画像）
Ｇ２，Ｇ４，Ｇ６，Ｇ８，Ｇ６２，Ｇ７２  第２出力映像（第２合成画像）
Ｇ９，Ｇ７３  第３出力映像（第３合成画像）
【図１】
2016163192.tif 000003
【図２】
2016163192.tif 000004
【図３】
2016163192.tif 000005
【図４】
2016163192.tif 000006
【図５】
2016163192.tif 000007
【図６】
2016163192.tif 000008
【図７】
2016163192.tif 000009
【図８】
2016163192.tif 000010
【図９】
2016163192.tif 000011
【図１０】
2016163192.tif 000012
【図１１】
2016163192.tif 000013
【図１２】
2016163192.tif 000014
【図１３】
2016163192.tif 000015
【図１４】
2016163192.tif 000016
【図１５】
2016163192.tif 000017
【図１６】
2016163192.tif 000018
【図１７】
2016163192.tif 000019
【図１８】
2016163192.tif 000020
【図１９】
2016163192.tif 000021
【図２０】
2016163192.tif 000022
【図２１】
2016163192.tif 000023
【図２２】
2016163192.tif 000024
【図２３】
2016163192.tif 000025